(57)【特許請求の範囲】
【請求項１】
ワイヤが駆動されることにより開閉体を開閉させる車両用開閉体の駆動装置において、
上記ワイヤを挿通する挿通穴を有するアウタチューブ；
周面に螺旋溝が形成され、該螺旋溝に上記ワイヤが巻回される円柱状のドラム；
上記ドラムを回転可能に支持する収容部と、上記アウタチューブの端部を挿入可能なアウタチューブ接続部と、上記アウタチューブ接続部と上記収容部の間で上記ワイヤを通過させるワイヤ通過部とを有するドラムハウジング；
上記ドラムハウジングに取り付けられ上記ドラムを回転させる駆動部材；及び
上記ドラムハウジングまたは上記駆動部材に設けられ、上記ドラムの上記回転軸方向に沿う第１の方向への上記ワイヤの振れを制限する第１の振れ止め部と、上記第１の方向と反対の第２の方向への上記ワイヤの振れを制限する第２の振れ止め部；
を備え、
上記第１の振れ止め部と上記第２の振れ止め部は、上記回転軸方向における、上記螺旋溝の形成範囲の一端と上記アウタチューブ接続部に接続した上記アウタチューブの端部における上記挿通穴の形成範囲の一端とを結ぶ線と、上記螺旋溝の形成範囲の他端と上記アウタチューブ接続部に接続した上記アウタチューブの端部における上記挿通穴の形成範囲の他端とを結ぶ線とで囲まれる領域の内側に設けられ、
上記ワイヤ通過部は上記第１の方向に開口するワイヤ通過溝であり、上記ワイヤ通過溝内に上記第１の振れ止め部が設けられており、
上記ワイヤ通過溝の側面と上記第１の振れ止め部の間に、上記開口を通した上記ワイヤの挿脱を可能にさせる隙間が形成されていることを特徴とする車両用開閉体の駆動装置。
【請求項２】
請求項１記載の車両用開閉体の駆動装置において、上記ワイヤ通過溝は、上記第１の振れ止め部が設けられている部分で上記開口の幅を拡大して上記隙間を形成している車両用開閉体の駆動装置。
【請求項３】
ワイヤが駆動されることにより開閉体を開閉させる車両用開閉体の駆動装置において、
上記ワイヤを挿通する挿通穴を有するアウタチューブ；
周面に螺旋溝が形成され、該螺旋溝に上記ワイヤが巻回される円柱状のドラム；
上記ドラムを回転可能に支持する収容部と、上記アウタチューブの端部を挿入可能なアウタチューブ接続部と、上記アウタチューブ接続部と上記収容部の間で上記ワイヤを通過させるワイヤ通過部とを有するドラムハウジング；
上記ドラムハウジングに取り付けられ上記ドラムを回転させる駆動部材；及び
上記ドラムハウジングまたは上記駆動部材に設けられ、上記ドラムの上記回転軸方向に沿う第１の方向への上記ワイヤの振れを制限する第１の振れ止め部と、上記第１の方向と反対の第２の方向への上記ワイヤの振れを制限する第２の振れ止め部；
を備え、
上記第１の振れ止め部と上記第２の振れ止め部は、上記回転軸方向における、上記螺旋溝の形成範囲の一端と上記アウタチューブ接続部に接続した上記アウタチューブの端部における上記挿通穴の形成範囲の一端とを結ぶ線と、上記螺旋溝の形成範囲の他端と上記アウタチューブ接続部に接続した上記アウタチューブの端部における上記挿通穴の形成範囲の他端とを結ぶ線とで囲まれる領域の内側に設けられ、
上記ワイヤ通過部は上記第１の方向に開口するワイヤ通過溝であり、上記収容部は上記第１の方向に開口しており、
上記第１の振れ止め部と上記の第２振れ止め部は上記ワイヤ通過溝の長手方向で互いに位置を異ならせており、
上記ワイヤ通過溝は、上記開口に対向する上記第２の方向の底部のうち少なくとも上記第１の振れ止め部に対応する位置に貫通穴を有していることを特徴とする車両用開閉体の駆動装置。
【発明の詳細な説明】
【技術分野】
【０００１】
本発明は車両に搭載される開閉体の駆動装置に関する。
【背景技術】
【０００２】
ウインドガラスを昇降させるウインドレギュレータや、スライドドアを開閉させるドア開閉装置などの自動車用の開閉体の駆動装置では、ワイヤを巻回した巻取ドラムの回転によってワイヤを移動（牽引、弛緩）させて開閉体（ウインドガラスやスライドドア）を駆動する構造が多用されている。巻取ドラムの外周面にはワイヤを巻回する螺旋溝が形成されている。巻取ドラムを収容するドラムハウジングには筒状のアウタチューブの端部が接続し、巻取ドラムの螺旋溝から延出されたワイヤがドラムハウジング内の通路を通ってアウタチューブ内の挿通穴に進退可能に挿入される。
【０００３】
この種の駆動装置では、巻取ドラムが回転すると螺旋溝の傾斜に応じてワイヤが巻取ドラムの回転軸方向に振れる。その際にワイヤの振れ量（振れ角）が大きいと、アウタチューブの端面部分で挿通穴の縁に対してワイヤが干渉し、駆動の繰り返しによってワイヤがダメージを受けるおそれがある。その対策として、ドラムハウジングとは別部材としてアウタチューブの端部を挿入可能なブッシュ部材を設け、このブッシュ部材内にアウタチューブの端部から離れるにつれて徐々に内径を大きくする振れ止め用の穴を形成し、ブッシュ部材を介してアウタチューブをドラムハウジングに接続させる構造が知られている（特許文献１）。巻取ドラムが回転するときに振れ止め用の穴の内面によってワイヤの振れ角が制限され、ワイヤを保護することができる。
【先行技術文献】
【特許文献】
【０００４】
【特許文献１】特開平９−１４４４２４号公報
【発明の概要】
【発明が解決しようとする課題】
【０００５】
特許文献１のワイヤの振れ止め構造は、ドラムハウジングとは別にブッシュ部材を取り付ける必要があるため、ドラムハウジングに対して直接にアウタチューブを接続させる構成に比して、組み立ての工数が多くなって製造に手間がかかったり、部品点数の増加によってコスト高になってしまったりするおそれがある。
【０００６】
本発明は以上の問題に鑑みてなされたものであり、生産性が良く安価でありながらワイヤの耐久性向上を実現できる車両用開閉体の駆動装置を提供することを目的とする。
【課題を解決するための手段】
【０００７】
本発明は、ワイヤを挿通する挿通穴を有するアウタチューブと、周面に形成した螺旋溝にワイヤが巻回される円柱状のドラムと、収容部にドラムを回転可能に支持し、アウタチューブ接続部にアウタチューブの端部を挿入させ、アウタチューブ接続部と収容部の間のワイヤ通過部にワイヤを通過させるドラムハウジングと、ドラムハウジングに取り付けられてドラムを回転させる駆動部材を備え、ワイヤの駆動によって開閉体を開閉させる車両用開閉体の駆動装置において、以下の特徴を有するものである。ドラムハウジングまたは駆動部材に、ドラムの回転軸方向に沿う第１の方向へのワイヤの振れを制限する第１の振れ止め部と、第１の方向と反対の第２の方向へのワイヤの振れを制限する第２の振れ止め部を設ける。第１の振れ止め部と第２の振れ止め部は、ドラムの回転軸方向において、螺旋溝の形成範囲の一端とアウタチューブ接続部に接続したアウタチューブの端部における挿通穴の形成範囲の一端とを結ぶ線と、螺旋溝の形成範囲の他端とアウタチューブ接続部に接続したアウタチューブの端部における挿通穴の形成範囲の他端とを結ぶ線とで囲まれる領域の内側に設けられる。
【０００９】
本発明の一態様として、ワイヤ通過部を第１の方向に開口するワイヤ通過溝とした上で、ワイヤ通過溝内に第１の振れ止め部を設け、ワイヤ通過溝の側面と第１の振れ止め部の間に、開口を通したワイヤの挿脱を可能にさせる隙間を形成する。この隙間は、第１の振れ止め部が設けられている部分でワイヤ通過溝の開口の幅を拡大して形成するとよい。
【００１０】
本発明の別の態様として、ワイヤ通過部を第１の方向に開口するワイヤ通過溝とし、収容部も第１の方向に開口するようにドラムハウジングを構成した上で、ワイヤ通過溝の長手方向で第１の振れ止め部と第２の振れ止め部の位置を異ならせ、ワイヤ通過溝には開口に対向する第２の方向の底部のうち少なくとも第１の振れ止め部に対応する位置に貫通穴を形成する。このように構成したドラムハウジングは、第１の方向と第２の方向（ドラムの回転軸方向）に相対移動する型によって容易に製造可能となる。
【発明の効果】
【００１１】
以上の本発明の車両用開閉体の駆動装置によれば、ドラムを収容するドラムハウジングまたはドラムを駆動する駆動部材に設けた振れ止め部（第１の振れ止め部と第２の振れ止め部）によってドラムの回転軸方向のワイヤの振れを制限し、部品点数が少なく安価で生産性に優れた構成によって、確実にワイヤの耐久性を向上させることができる。
【図面の簡単な説明】
【００１２】
【図１】本発明を適用したウインドレギュレータの正面図である。
【図２】ウインドレギュレータの背面図である。
【図３】ウインドレギュレータの側面図である。
【図４】巻取ドラムを収容した状態のドラムハウジングの斜視図である。
【図５】巻取ドラムを収容しない状態のドラムハウジングを図４と異なる角度から見た斜視図である。
【図６】巻取ドラムを収容した状態のドラムハウジングの平面図である。
【図７】巻取ドラムの斜視図である。
【図８】巻取ドラムを回転軸と垂直な方向から見た側面図である。
【図９】図６のIX-IX線に沿うドラムハウジングの断面図である。
【発明を実施するための形態】
【００１３】
以下、本発明の車両用開閉体の駆動装置として、ドアの窓開口を開閉するウインドガラス（開閉体）を駆動させるウインドレギュレータに適用した実施形態を説明する。図１ないし図３に示すウインドレギュレータ１０は、車両のドアパネル（図示略）内に取り付けられてウインドガラス（図示略）を昇降させるものである。図３にはウインドレギュレータ１０を車両のドアに取り付けた状態での車外側と車内側の向きを矢線で示している。ウインドレギュレータ１０は長尺部材であるガイドレール１１を有し、ガイドレール１１は長手方向に位置を異ならせて設けたブラケット１２，１３を介してドアパネル（インナパネル）に固定される。この固定状態でガイドレール１１はその長手方向を概ね車両の高さ方向に向けて配される。
【００１４】
ウインドガラスを支持するスライダベース１４（ガラスキャリア）がガイドレール１１の長手方向に沿って移動可能に支持されている。スライダベース１４には一対のワイヤ１５，１６（図２）のそれぞれの一端が接続されている。ガイドレール１１の長手方向の一端付近にはプーリブラケット３０が固定されており、プーリブラケット３０上にガイドプーリ１７がプーリ支持軸１９を介して回転可能に支持されている。ワイヤ１５はスライダベース１４からガイドレール１１に沿って該ガイドレール１１の一端方向に延び、ガイドプーリ１７の外周面上に形成したワイヤガイド溝によって支持される。ワイヤ１５の進退に応じてガイドプーリ１７はプーリ支持軸１９を中心とする回転を行う。ガイドレール１１の長手方向の他端付近にはワイヤガイド部材１８が設けられており、ワイヤ１６はスライダベース１４からガイドレール１１に沿って該ガイドレール１１の他端に向けて延びてワイヤガイド部材１８に案内される。ワイヤガイド部材１８はガイドレール１１に対して固定されており、ワイヤガイド部材１８に形成したワイヤガイド溝に沿って進退可能にワイヤ１６が支持される。
【００１５】
ガイドプーリ１７とワイヤガイド部材１８から出たワイヤ１５，１６は、管状のアウタチューブ２１，２２内に挿通され、アウタチューブ２１，２２が接続されるドラムハウジング２０内に設けた巻取ドラム２３に巻回される。図７と図８に示すように巻取ドラム２３は円柱状をなし、その中心部には軸線方向に貫通する軸嵌合穴２４が形成されている。軸嵌合穴２４の内面には鋸刃状のセレーションが形成されている。巻取ドラム２３の外周面にはワイヤ１５，１６が巻回される螺旋溝２５が形成されている。螺旋溝２５は巻取ドラム２３の外周面に沿って旋回しながら巻取ドラム２３の軸線方向に位置を変化させる。巻取ドラム２３の軸線方向における螺旋溝２５の形成範囲Ｈを図８に示した。
【００１６】
ドラムハウジング２０に対してモータユニット（駆動部材）２６（図１ないし図３）が取り付けられる。モータユニット２６は、モータ２７と、モータ２７の出力軸の回転を減速させながら伝達する減速ギヤ列を内蔵したギヤボックス２８と、ギヤボックス２８の減速ギヤ列を経由してモータ２７の回転駆動力が伝達される嵌合軸（図示略）が設けられている。モータユニット２６は後述するドラムハウジング２０の開口部分を覆うカバー部２９を有しており、嵌合軸はカバー部２９から突出して巻取ドラム２３の軸嵌合穴２４に嵌合する。嵌合軸には軸嵌合穴２４のセレーションに嵌合するセレーションが形成されており、この嵌合状態でモータ２７を駆動すると嵌合軸と共に巻取ドラム２３が回転する。
【００１７】
アウタチューブ２１は一端がプーリブラケット３０に接続し、他端がドラムハウジング２０に接続しており、両端位置が定められたアウタチューブ２１内でワイヤ１５が進退可能となる。アウタチューブ２２は一端がワイヤガイド部材１８に接続し、他端がドラムハウジング２０に接続しており、両端位置が定められたアウタチューブ２２内でワイヤ１６が進退可能となる。アウタチューブ２１，２２内には長手方向に貫通する挿通穴５０（図９）が形成されており、ワイヤ１５、１６は挿通穴５０に挿入される。アウタチューブ２１でプーリブラケット３０に接続する側の端部をレール側端部２１ａとし、アウタチューブ２２でワイヤガイド部材１８に接続する側の端部をレール側端部２２ａとする。また、アウタチューブ２１，２２のそれぞれでドラムハウジング２０側に接続する側の端部をドラム側端部２１ｂ，２２ｂとする。
【００１８】
ドラムハウジング２０はドアパネル（インナパネル）に固定される。モータ２７の駆動力によって巻取ドラム２３が正逆に回転すると、ワイヤ１５，１６の一方が巻取ドラム２３の螺旋溝２５への巻回量を大きくし、他方が巻取ドラム２３の螺旋溝２５から繰り出されて、この一対のワイヤ１５，１６の牽引と弛緩の関係によってスライダベース１４がガイドレール１１に沿って移動する。スライダベース１４の移動に応じてウインドガラスが昇降する。
【００１９】
以下、アウタチューブ２１，２２が接続するドラムハウジング２０について説明する。図４ないし図６に示すように、ドラムハウジング２０は、ドラム収容部（収容部）３１と一対のアウタチューブ挿入部３２，３３を有している。ドラム収容部３１は、底部３４とその周縁に形成した円筒状の立壁３５によって囲まれる空間を形成しており、底部３４の反対側は収容部開口３６として開口している。底部３４にはドラム支持座３７（図５）が設けられている。巻取ドラム２３は、一端をドラム支持座３７上に載せてドラム収容部６１内に挿入される。ドラム支持座３７には円筒状の軸突起３７ａ（図５）が設けられ、巻取ドラム２３には軸嵌合穴２４の一部に平滑な円筒面２４ａ（図７）が形成されている。軸突起３７ａが円筒面２４ａに挿入され、軸突起３７ａに対して円筒面２４ａを摺接させることで巻取ドラム２３が回転可能に支持される。ドラム収容部６１への収容状態での巻取ドラム２３の回転中心である回転軸２３ｘを図５と図６に一点鎖線で示した。モータ２７の駆動力が伝達されると、回転軸２３ｘを中心として巻取ドラム２３が回転する。
【００２０】
ドラムハウジング２０にはドラム収容部３１に連通するワイヤ通過溝（ワイヤ通過部）４０とワイヤ通過溝（ワイヤ通過部）４１が互いに異なる方向（ウインドレギュレータ１０の完成状態でのプーリブラケット３０とワイヤガイド部材１８の方向）に向けて形成されており、ワイヤ通過溝４０の先端にアウタチューブ挿入部３２が設けられ、ワイヤ通過溝４１の先端にアウタチューブ挿入部３３が設けられている。
【００２１】
ワイヤ通過溝４０とワイヤ通過溝４１は略同じ構成を有しており、ワイヤ通過溝４０とワイヤ通過溝４１に共通する要素は図中で同じ符号を用いて示している。ワイヤ通過溝４０，４１はそれぞれ, ドラム収容部３１から回転軸２３ｘと交差する（略直交する）方向に向突出する溝状の部位であり、ドラム収容部３１の底部３４に連続する底部４２と、底部４２から回転軸２３ｘに沿う方向（立壁３５の突出方向）に立ち上げられた一対の側壁４３，４４を有している。底部４２に対向する天面部分には通過溝開口４５が形成されている。通過溝開口４５はドラム収容部３１の収容部開口３６に連続する開口部である。
【００２２】
アウタチューブ挿入部３２にはアウタチューブ２１のドラム側端部２１ｂを挿入可能であり、アウタチューブ挿入部３３にはアウタチューブ２２のドラム側端部２２ｂを挿入可能である。アウタチューブ挿入部３２に対するドラム側端部２１ｂの挿入方向である挿入軸３２ｘと、アウタチューブ挿入部３３に対するドラム側端部２２ｂの挿入方向である挿入軸３３ｘを図６に示した。
【００２３】
アウタチューブ挿入部３２とアウタチューブ挿入部３３は略同じ構成を有しており、アウタチューブ挿入部３２とアウタチューブ挿入部３３に共通する要素は図中で同じ符号を用いて示している。アウタチューブ挿入部３２，３３の内部には挿入軸３２ｘ，３３ｘの方向に貫通する挿通溝４６が形成されている。挿通溝４６は、ワイヤ通過溝４０，４１に連通しており、ワイヤ通過溝４０，４１と挿通溝４６の境界付近に段差状の挿入規制面４７が形成されている。アウタチューブ挿入部３２，３３に挿入されたアウタチューブ２１，２２のドラム側端部２１ｂ，２２ｂの端面がそれぞれ挿入規制面４７に当接して、アウタチューブ挿入部３２，３３へのアウタチューブ２１，２２の挿入位置が決まる（図９参照）。ワイヤ通過溝４０，４１の通過溝開口４５は、アウタチューブ挿入部３２，３３まで連続して形成されている。アウタチューブ挿入部３２，３３における通過溝開口４５の幅はアウタチューブ２１，２２の径よりも小さく、アウタチューブ挿入部３２，３３に挿入されたアウタチューブ２１，２２のドラム側端部２１ｂ，２２ｂは、通過溝開口４５を通して脱落しないようになっている。
【００２４】
ウインドレギュレータ１０の組み立て時には、アウタチューブ２１，２２のドラム側端部２１ｂ，２２ｂの端面から突出するワイヤ１５，１６を、通過溝開口４５を通してアウタチューブ挿入部３２，３３の挿通溝４６とワイヤ通過溝４０，４１内に挿入すると共に、ドラム側端部２１ｂ，２２ｂを挿入軸３２ｘ，３３ｘに沿ってアウタチューブ挿入部３２，３３の挿通溝４６内に挿入する。ドラム側端部２１ｂ，２２ｂの端面が挿入規制面４７に当接して挿入軸３２ｘ，３３ｘ方向でのアウタチューブ２１，２２の位置が定まる。ワイヤ１５，１６は、ワイヤ通過溝４０，４１を通ってドラム収容部３１内へ導かれて、巻取ドラム２３の外周面上の螺旋溝２５に巻回される。このようにして組み付けた状態（図１ないし図３、図９）で、ワイヤ１５，１６はアウタチューブ２１，２２に対して挿通穴５０（図９）内を進退可能となり、巻取ドラム２３の回転に応じて螺旋溝２５へのワイヤ１５，１６の巻回量が変化する。
【００２５】
さらにドラムハウジング２０の天面側にモータユニット２６取り付ける。モータユニット２６のカバー部２９がドラムハウジング２０の収容部開口３６と通過溝開口４５を塞ぎ、ドラム収容部３１からの巻取ドラム２３の脱落を防止する。モータユニット２６を取り付けることで、前述の通りモータユニット２６側の嵌合軸（不図示）が軸嵌合穴２４に嵌合して、モータ２７の駆動力を巻取ドラム２３に伝達可能となる。
【００２６】
以上のようにワイヤ１５，１６を配策したウインドレギュレータ１０では、巻取ドラム２３が回転すると、螺旋溝２５からの各ワイヤ１５，１６の繰り出し位置が回転軸２３ｘに沿う方向で変化する。この回転軸２３ｘに沿う方向のワイヤ１５，１６の振れを制限する振れ止め手段として、ドラムハウジング２０はワイヤ通過溝４０とワイヤ通過溝４１のそれぞれに第１振れ止め部（振れ止め部、第１の振れ止め部）５１と第２振れ止め部（振れ止め部、第２の振れ止め部）５２を備えている。
【００２７】
図９に、回転軸２３ｘ方向における、巻取ドラム２３の螺旋溝２５の形成範囲Ｈ（図８）の一端Ｄ１と他端Ｄ２、アウタチューブ２２のドラム側端部２２ｂの挿通穴５０の形成範囲の一端Ｅ１と他端Ｅ２を示した。螺旋溝２５側の一端Ｄ１と挿通穴５０側の一端Ｅ１を結ぶ仮想線をＦ１、螺旋溝２５側の他端Ｄ２と挿通穴５０側の他端Ｅ２を結ぶ仮想線をＦ２とする。図９に示すように、ドラムハウジング２０内でワイヤ１６は、巻取ドラム２３（螺旋溝２５）とアウタチューブ２２のドラム側端部２２ｂ（挿通穴５０）により支持され、その間のワイヤ通過溝４１では巻取ドラム２３やアウタチューブ２２の支持を受けていない。そのため、振れ止め手段を設けない場合には、仮想線Ｆ１と仮想線Ｆ２で囲まれる範囲（振れ可能範囲Ｍとする）でワイヤ１６の振れが生じる可能性がある。図９はワイヤ１６とワイヤ通過溝４１の関係を示しているが、ワイヤ１５とワイヤ通過溝４０も同様の関係にある。
【００２８】
第１振れ止め部５１は側壁４３に設けた突出部であり、回転軸２３ｘに沿う方向で、仮想線Ｆ１よりも振れ可能範囲Ｍの内側に入った位置に設けられている（図９参照）。また、図６のように回転軸２３ｘに沿って見たときに、ワイヤ通過溝４０の第１振れ止め部５１は挿入軸３２ｘと重なる位置にあり、ワイヤ通過溝４１の第１振れ止め部５１は挿入軸３２ｘと重なる位置にある。そのため、ワイヤ通過溝４０内で挿入軸３２ｘに沿って配策されたワイヤ１５と、ワイヤ通過溝４１内で挿入軸３３ｘに沿って配策されたワイヤ１６はいずれも、第１振れ止め部５１によって回転軸２３ｘに沿う一方の振れ量が制限される。具体的には、振れ可能範囲Ｍの仮想線Ｆ１よりも狭い範囲（仮想線Ｆ２寄りの位置）に振れ量が制限される。
【００２９】
第２振れ止め部５２は底部４２に設けた突出部であり、回転軸２３ｘに沿う方向で、仮想線Ｆ２よりも振れ可能範囲Ｍの内側に入った位置に設けられている（図９参照）。そのため、ワイヤ通過溝４０内に配策されたワイヤ１５と、ワイヤ通過溝４１内に配策されたワイヤ１６はいずれも、第２振れ止め部５２によって回転軸２３ｘに沿う他方の振れ量が制限される。具体的には、振れ可能範囲Ｍの仮想線Ｆ２よりも狭い範囲（仮想線Ｆ１寄りの位置）に振れ量が制限される。
【００３０】
このように第１振れ止め部５１と第２振れ止め部５２によって回転軸２３ｘに沿う方向のワイヤ１５，１６の振れ量（振れ角）を制限することで、ワイヤ１５，１６の耐久性を向上させることができる。特に、振れ可能範囲Ｍが最も狭くなっているアウタチューブ２１，２２（ドラム側端部２１ｂ，２２ｂ）の挿通穴５０への挿入部分において、挿通穴５０の縁部に対するワイヤ１５，１６の擦れを効果的に防ぐことができる。このワイヤ１５，１６の振れ制限は、ドラムハウジング２０に形成した第１振れ止め部５１と第２振れ止め部５２によって実現されるので、振れ止め用の部材や機構を別途備える必要がなく、構成が簡略で低コストに得ることができる。
【００３１】
第１振れ止め部５１と第２振れ止め部５２は、ワイヤ通過溝４０，４１の長手方向（ワイヤ１５，１６の延設方向）において、巻取ドラム２３よりもアウタチューブ２１，２２のドラム側端部２１ｂ，２２ｂに近い位置に配されている。この配置は、ワイヤ１５，１６の擦れが生じやすいアウタチューブ２１，２２の挿通穴５０の縁部に近い位置でワイヤ１５，１６の振れ幅を管理できる利点がある。
【００３２】
回転軸２３ｘに沿う方向に収容部開口３６と通過溝開口４５を開口させたドラムハウジング２０は、回転軸２３ｘに沿う方向に相対移動する２つの金型によって製造することが好ましい。ここで、ワイヤ通過溝４０，４１の長手方向で第１振れ止め部５１と第２振れ止め部５２が互いに位置を異ならせている。さらにワイヤ通過溝４０，４１の底部４２には、回転軸２３ｘに沿う方向で第１振れ止め部５１に対向する位置に貫通穴５３が形成されている。このように構成することにより、回転軸２３ｘに沿う方向に相対移動する２つの金型によって第１振れ止め部５１と第２振れ止め部５２も併せて形成することが可能となるため、ドラムハウジング２０の生産性が向上する。
【００３３】
図６に示すように、第１振れ止め部５１が形成されている部分ではワイヤ通過溝４０，４１の通過溝開口４５の幅が広げられており、第１振れ止め部５１と側壁４４の間に隙間４５ａ（図６）が形成されている。そのため、第１振れ止め部５１に妨げられずに、隙間４５ａを通してワイヤ通過溝４０，４１内へワイヤ１５，１６を挿入させることが可能である。図４と図５に示すように、第１振れ止め部５１は、隙間４５ａ側にワイヤ１５，１６を導きやすくする傾斜方向のテーパ面５１ａを有している。
【００３４】
以上、図示実施形態に基づき本発明を説明したが、本発明は図示した実施形態に限定されるものではなく、発明の要旨を逸脱しない限りにおいて改良や改変が可能である。例えば図示実施形態では、第１振れ止め部５１と第２振れ止め部５２をいずれもドラムハウジング２０に設けているが、ドラムハウジング２０に対して組み付けられるモータユニット２６に少なくとも一つの抜け止めを設けることもできる。具体的には、モータユニット２６のカバー部２９は通過溝開口４５を塞ぐ（ワイヤ通過溝４０，４１の一部を構成する）形状を有しているため、第１振れ止め部５１に相当する振れ止め部をドラムハウジング２０ではなくカバー部２９に設ける変更が可能である。
【００３５】
図示実施形態では、ワイヤ通過溝４０，４１の側壁４３に第１振れ止め部５１を突設しているが、反対側の側壁４４に第１振れ止め部５１を設けることも可能である。
【００３６】
図示実施形態のドラムハウジング２０は、ドラム収容部３１の収容部開口３６とワイヤ通過溝４０，４１の通過溝開口４５が同じ方向に開口しているが、収容部開口３６と通過溝開口４５が回転軸２３ｘに沿う方向で互いに反対に向けて開口するタイプのドラムハウジングにも適用可能である。
【００３７】
図示実施形態では、巻取ドラム２３の回転軸２３ｘに沿う方向のうち第１の方向（通過溝開口４５の開口方向）へのワイヤ１５，１６の振れを制限する第１振れ止め部５１と、これと反対の第２の方向（ワイヤ通過溝４０，４１の底部４２の方向）へのワイヤ１５，１６の振れを制限する第２振れ止め部５２を備えている。この構成は、巻取ドラム２３の回転によってワイヤ１５，１６がいずれの方向に振れても保護できるので優れているが、本発明は回転軸２３ｘに沿う方向のうち一方にのみワイヤ１５，１６の振れを制限するような構成であっても成立する。
【００３８】
また、図示実施形態ではドラムハウジング２０におけるワイヤ通過溝４０とワイヤ通過溝４１が略共通の構造であり、各ワイヤ１５，１６に同等の大きさの振れが生じ得る条件であるため、ワイヤ通過溝４０とワイヤ通過溝４１の両方に共通構造の第１振れ止め部５１と第２振れ止め部５２を設けているが、ワイヤ１５とワイヤ１６で振れ量の条件（図９の振れ可能範囲Ｍの幅）などが異なる場合は、ワイヤ通過溝４０に設ける振れ止め部とワイヤ通過溝４１に設ける振れ止め部のスペック（形状、配置）を異ならせてもよい。
【符号の説明】
【００３９】
１０  ウインドレギュレータ
１１  ガイドレール
１２  １３  ブラケット
１４  スライダベース
１５  １６  ワイヤ
１７  ガイドプーリ
１８  ワイヤガイド部材
１９  プーリ支持軸
２０  ドラムハウジング
２１  ２２  アウタチューブ
２１ａ  ２２ａ  レール側端部
２１ｂ  ２２ｂ  ドラム側端部
２３  巻取ドラム
２３ｘ  軸線
２４  軸嵌合穴
２５  螺旋溝
２６  モータユニット（駆動部材）
２７  モータ
２８  ギヤボックス
２９  カバー部
３０  プーリブラケット
３１  ドラム収容部（収容部）
３２  ３３  アウタチューブ挿入部
３２ｘ  ３３ｘ  挿入軸
３４  底部
３５  立壁
３６  収容部開口
３７  ドラム支持座
４０  ４１  ワイヤ通過溝（ワイヤ通過部）
４２  底部
４３  ４４  側壁
４５  通過溝開口
４５ａ  隙間
４６  挿通溝
４７  挿入規制面
５０  挿通穴
５１  第１振れ止め部（振れ止め部、第１の振れ止め部）
５１ａ  テーパ面
５２  第２振れ止め部（振れ止め部、第２の振れ止め部）
５３  貫通穴
Ｄ１  螺旋溝の形成範囲の一端
Ｄ２  螺旋溝の形成範囲の他端
Ｅ１  アウタチューブの挿通穴の形成範囲の一端
Ｅ２  アウタチューブの挿通穴の形成範囲の他端
Ｆ１  Ｆ２  振れ可能範囲を決める仮想線
Ｈ  螺旋溝の形成範囲
Ｍ  振れ可能範囲
【図１】
0006679249.tif 000002
【図２】
0006679249.tif 000003
【図３】
0006679249.tif 000004
【図４】
0006679249.tif 000005
【図５】
0006679249.tif 000006
【図６】
0006679249.tif 000007
【図７】
0006679249.tif 000008
【図８】
0006679249.tif 000009
【図９】
0006679249.tif 000010